(57)【要約】【課題】糊液面に糊皮膜が生じ難い糊付け機を提供する。【解決手段】糊付け槽１１の上方にはガイドローラ１２、浸漬ローラ１３、絞りローラ１４，１５及び絞りローラ１６，１７が配設されている。糊付け槽１１は、底壁１９と、四角形状の囲い壁２０とからなる。囲い壁２０の上縁２１１，２２１，２４１の高さ位置は、囲い壁２０の全周にわたって統一してある。囲い壁２０の周囲には樋２８が設けられている。樋２８は、囲い壁２０の上縁２１１，２２１，２４１から溢れ落ちる糊液を受ける。【選択図】  図１
2005220453.tif 000002
【特許請求の範囲】
【請求項１】
糊液に経糸を浸して経糸に糊付けを行なう糊付け機において、
前記糊液を溜めておく糊付け槽における囲い壁の上縁の高さ位置を全周にわたって統一した糊付け機。
【請求項２】
前記囲い壁の上縁から溢れ落ちる糊液を受けるための樋を前記囲い壁の外周の全周にわたって設けた請求項１に記載の糊付け機。
【請求項３】
前記樋は、前記囲い壁と、前記囲い壁を一周する立壁と、前記囲い壁と前記立壁との間の底壁とからなる請求項２に記載の糊付け機。
【請求項４】
前記囲い壁内の糊液の液面下で糊液に経糸を浸すための浸漬ローラと、前記囲い壁内の糊液の液面の上方で経糸から糊液を絞るための一対の絞りローラを有する少なくとも１組の絞り機構とを備え、前記囲い壁は、前記各ローラの軸方向に延びる前壁と、前記各ローラの軸方向に延びる後壁と、一対の側壁とからなる請求項１乃至請求項３のいずれか１項に記載の糊付け機。
【請求項５】
前記一対の絞りローラを上下に並べ、前記一対の絞りローラにおける下側の絞りローラのローラ軸を通すための凹部を前記一対の側壁の上縁に設け、前記ローラ軸の周面下部の形状に合わせた調整凹部を有する調整板を前記ローラ軸の直下の前記側壁の部位に取り付け位置調整可能に設けた請求項４に記載の糊付け機。
【発明の詳細な説明】
【技術分野】
【０００１】
本発明は、糊液に経糸を浸して経糸に糊付けを行なう糊付け機に関するものである。
【背景技術】
【０００２】
この種の糊付け機（例えば、特許文献１，２を参照）では、糊液を溜めている糊槽内の糊液に経糸を浸した後、一対の絞りローラ間で経糸を挟んで経糸から糊を絞り取る。糊槽内の糊液は、経糸に付着して奪われてゆくので、糊槽内の糊液を補充する必要がある。又、糊液の液面に糊の皮膜ができると、この糊皮膜が経糸に付着する。糊皮膜が経糸に付着した状態で乾燥工程に移されると、糊皮膜が隣り合う経糸を接着するように固化し、糊皮膜によって接着された経糸が分割される際には、糸切れが生じ易い。
【０００３】
このような糊皮膜が生じないようにするため、糊槽における糊液の補充では、経糸が糊槽から糊液を奪ってゆくよりも多い量の糊液を補充し、糊槽から糊液を溢れ出させて、糊液の液面に流れを生じさせるようにしている。
【０００４】
特許文献１に開示の装置では、糊槽の後壁の上端から糊液を溢れ出させると共に、糊槽の側壁に設けたオーバーフロー口から糊液を溢れ出させるようにしている。
特許文献２に開示の装置では、糊槽の前後の越流部から同時に糊液を溢れださせるようにしている。
【特許文献１】実公昭４８−９１４８号公報
【特許文献２】特開平６−３４６３５９号公報
【発明の開示】
【発明が解決しようとする課題】
【０００５】
しかし、特許文献１に開示の装置では、糊槽の前壁と、糊液に浸された下側絞りローラとの間における糊液面に淀みが生じ易く、特許文献２に開示の装置では、糊槽の両側壁付近における糊液面に淀みが生じ易い。このような淀みを生じやすい箇所では、糊皮膜が生じ易い。
【０００６】
本発明は、糊液面に糊皮膜が生じ難い糊付け機を提供することを目的とする。
【課題を解決するための手段】
【０００７】
そのために本発明は、糊液に経糸を浸して経糸に糊付けを行なう糊付け機を対象とし、請求項１の発明では、前記糊液を溜めておく糊付け槽における囲い壁の上縁の高さ位置を全周にわたって統一した。
【０００８】
囲い壁の上縁の高さ位置を全周にわたって統一したので、糊付け槽内の糊液が囲い壁から全方位へ溢れ出し可能である。その結果、糊付け槽内の糊液面に淀みが生じ難く、糊液面に糊皮膜が生じ難い。
【０００９】
請求項２の発明では、請求項１において、前記囲い壁の上縁から溢れ落ちる糊液を受けるための樋を前記囲い壁の外壁面の全周にわたって設けた。
囲い壁から溢れ出た糊液は、樋を経由して回収することができる。
【００１０】
請求項３の発明では、請求項２において、前記囲い壁と、前記囲い壁を一周する立壁と、前記囲い壁と前記立壁との間の底壁とを備えた前記樋を構成した。
立壁の上縁の高さ位置は、囲い壁の上縁の高さ位置より低くてもよい。立壁の上縁の高さ位置を囲い壁の上縁の高さ位置より高くすれば、囲い壁から溢れ出た糊液を樋によって確実に受けることができる。
【００１１】
請求項４の発明では、請求項１乃至請求項３のいずれか１項において、前記囲い壁内の糊液の液面下で糊液に経糸を浸すための浸漬ローラと、前記囲い壁内の糊液の液面の上方で経糸から糊液を絞るための一対の絞りローラを有する少なくとも１組の絞り機構とを備えた糊付け機を構成し、前記各ローラの軸方向に延びる前壁と、前記各ローラの軸方向に延びる後壁と、一対の側壁とを備えた前記囲い壁を構成した。
【００１２】
糊付け槽内の糊液は、囲い壁の前壁の上縁から前方へ、囲い壁の後壁の上縁から後方へ、及び両側壁の上縁から側方へと専ら溢れ出る。絞り機構における一対の絞りローラのうちの一方が糊液に浸されている場合には、この絞りローラと浸漬ローラとの間における糊液面では側方への流れが生じ、淀みは生じ難い。
【００１３】
請求項５の発明では、請求項４において、前記一対の絞りローラを上下に並べ、前記一対の絞りローラにおける下側の絞りローラのローラ軸を通すための凹部を前記一対の側壁の上縁に設け、前記ローラ軸の周面下部の形状に合わせた調整凹部を有する調整板を前記ローラ軸の直下の前記側壁の部位に取り付け位置調整可能に設けた。
【００１４】
前記凹部とローラ軸の周面との間にクリアランスを設けた場合、このクリアランスが過大であると糊液が前記凹部から専ら溢れ出すおそれがある。調整板は、調整凹部とローラ軸の周面との間の間隙を調整して、糊液が調整凹部から溢れ出す量を調整することを可能にする。
【発明の効果】
【００１５】
本発明の糊付け機は、糊液面に糊皮膜が生じ難いという優れた効果を奏する。
【発明を実施するための最良の形態】
【００１６】
以下、本発明を具体化した第１の実施形態を図１〜図４に基づいて説明する。
図１に示すように、糊付け槽１１の上方にはガイドローラ１２、浸漬ローラ１３、絞りローラ１４，１５及び絞りローラ１６，１７が配設されている。浸漬ローラ１３の一部は、糊付け槽１１内の糊液Ｎに浸漬されている。ガイドローラ１２は、シート状に配列された多数本の経糸Ｔを浸漬ローラ１３へ案内する。ガイドローラ１２によって案内された経糸Ｔは、浸漬ローラ１３に巻き掛けられる。浸漬ローラ１３に巻き掛けられた経糸Ｔは、糊付け槽１１内の糊液Ｎを通過して糊付けされる。糊付けされた経糸Ｔは、絞りローラ１４，１５間で挟まれると共に、絞りローラ１６，１７間で挟まれて糊液の一部を絞り取られる。絞りローラ１６，１７間を通過した経糸Ｔは、図示しない乾燥装置で乾燥された後に図示しない巻き取り部で巻き取られる。
【００１７】
図２に示すように、糊付け槽１１は、底壁１９と、四角環状の囲い壁２０とからなる。囲い壁２０は、前壁２１と後壁２２と左右一対の側壁２３，２４とからなる。前壁２１の上縁２１１（図１に図示）、後壁２２の上縁２２１（図１に図示）、側壁２３，２４の上縁２３１，２４１（図３に図示）のそれぞれの高さ位置は、同一にしてある。つまり、囲い壁２０の上縁の高さ位置は、囲い壁２０の全周にわたって統一してある。
【００１８】
囲い壁２０の周囲には樋２８が設けられている。樋２８は、囲い壁２０と、囲い壁２０の外側を一周する四角環状の立壁２９と、立壁２９と囲い壁２０との間の底壁３０とからなる。立壁２９の上縁２９１（図１及び図３に図示）の高さ位置は、囲い壁２０の上縁２１１，２２１，２３１，２４１の高さ位置よりも上位にしてある。囲い壁２０の外周の全周にわたって設けられた樋２８は、囲い壁２０の上縁２１１，２２１，２３１，２４１から溢れ落ちる糊液を受ける。
【００１９】
図１に示すように、糊付け槽１１の底壁１９の下側には回収ダクト１８が設けられている。回収ダクト１８は、糊付け槽１１の前壁２１側における樋２８の部分に落とし口１８１を介して連通していると共に、糊付け槽１１の後壁２２側における樋２８の部分に落とし口１８２を介して連通している。
【００２０】
糊付け槽１１には糊液槽２５内の糊液がポンプ２６によって供給されるようになっている。糊液槽２５内の糊液が一定量以下になると、糊液供給源２７から糊液が糊液槽２５へ補給されるようになっている。糊付け槽１１内の糊液は、経糸Ｔに付着して奪われてゆく。しかし、経糸Ｔによって奪われてゆく分よりも多い量の糊液がポンプ２６によって糊付け槽１１内に供給されるので、糊付け槽１１内の糊液は、囲い壁２０の上縁２１１，２２１，２３１，２４１から溢れ出る。糊付け槽１１から溢れ出た糊液は、樋２８、落とし口１８１，１８２及び回収ダクト１８を経由して糊液槽２５へ回収される。
【００２１】
図３に示すように、糊付け槽１１の側壁２３，２４の側方には軸受け部材３１，３２が配設されている。下側の絞りローラ１４，１６のローラ軸１４１，１６１は、樋２８の立壁２９の側壁２９２，２９３を貫通して側方に延出している。ローラ軸１４１，１６１は、ベアリング３３，３４を介して軸受け部材３１，３２に回転可能に支持されており、上側の絞りローラ１５，１７のローラ軸１５１，１７１は、ベアリング３５，３６を介して軸受け部材３１，３２に回転可能に支持されている。
【００２２】
絞りローラ１４，１５及びベアリング３３〜３６は、囲い壁２０内の糊液Ｎの液面の上方で経糸Ｔから糊液を絞るための１組の絞り機構を構成する。絞りローラ１６，１７及びベアリング３３〜３６は、囲い壁２０内の糊液Ｎの液面の上方で経糸Ｔから糊液を絞るための別の１組の絞り機構を構成する。浸漬ローラ１３のローラ軸（図示略）、及びこのローラ軸を回転可能に支持するための軸受け手段は、糊付け槽１１内の糊液Ｎ内に浸漬されている。
【００２３】
図４に示すように、糊付け槽１１の側壁２３の上縁２３１には円弧形状の凹部２３２，２３３が形成されている。側壁２４の上縁２４１にも同様の凹部２４２，２４３（図２に図示）が形成されている。下側の絞りローラ１４，１６のローラ軸１４１，１６１は、側壁２３，２４の上縁２３１，２４１の高さ位置に配置されている。ローラ軸１４１の下部は、凹部２３２，２４２内に通してあり、ローラ軸１６１の下部は、凹部２３３，２４３内に通してある。
【００２４】
図３に示すように、側壁２３，２４の外壁面には調整板３７，３８が取り付けられている。図４に示すように、調整板３７，３８は、側壁２３，２４に螺着された一対のネジ４１，４２の締め付けによって側壁２３，２４に固定されている。調整板３７，３８には上下に長い位置調整孔３９，４０が形成されており、ネジ４１，４２は、位置調整孔３９，４０を通して側壁２３，２４に螺合されている。調整板３７，３８には円弧形状の調整凹部４３が形成されている。調整板３７，３８は、ネジ４１，４２の締め付けを緩めた状態で上下方向における取り付け位置を調整可能である。
【００２５】
第１の実施の形態では以下の効果が得られる。
（１−１）囲い壁２０の上縁２１１，２２１，２３１，２４１の高さ位置を全周にわたって統一したので、糊付け槽１１内の糊液Ｎは、囲い壁２０から全方位へ溢れ出し可能である。本実施形態では、糊付け槽１１内の糊液Ｎは、囲い壁２０の前壁２１の上縁２１１から前方へ、囲い壁２０の後壁２２の上縁２２１から後方へ、及び両側壁２３，２４の上縁２３１，２４１から側方へと専ら溢れ出る。糊付け槽１１内の糊液Ｎに浸されている絞りローラ１４と浸漬ローラ１３との間における糊液面では側方への流れが生じ、糊付け槽１１内の糊液Ｎに浸されている絞りローラ１４，１６間における糊液面においても側方への流れが生じる。つまり、糊付け槽１１内の糊液面には淀みが生じることはなく、糊液面に糊皮膜は生じない。
【００２６】
（１−２）囲い壁２０の上縁２１１，２２１，２３１，２４１から溢れ落ちる糊液を受けるための樋２８を囲い壁２０の外周の全周にわたって設けたので、囲い壁２０から溢れ出た糊液は、樋２８を経由して全て回収することができる。
【００２７】
（１−３）立壁２９の上縁２９１の高さ位置が囲い壁２０の上縁２１１，２２１，２３１，２４１の高さ位置よりも上位にしてあるので、囲い壁２０から溢れ出た糊液を樋２８によって確実に受けることができる。
【００２８】
（１−４）下側の絞りローラ１４，１６のローラ軸１４１，１６１は、一対の側壁２３，２４の上縁２３１，２４１の高さ位置に配置してある。ローラ軸１４１，１６１と側壁２３，２４との干渉を回避するため、側壁２３，２４の上縁２３１，２４１に凹部２３２，２３３，２４２，２４３を設け、この凹部２３２，２３３，２４２，２４３にローラ軸１４１，１６１の下部を通してある。凹部２３２，２３３，２４２，２４３とローラ軸１４１，１６１の周面との間におけるクリアランスが過大であると、糊液Ｎが凹部２３２，２３３，２４２，２４３から専ら溢れ出すおそれがある。糊液Ｎが凹部２３２，２３３，２４２，２４３から専ら溢れ出すとすると、糊付け槽１１内の糊液面に淀みが生じ、糊皮膜が生じるおそれがある。
【００２９】
上下方向に取り付け位置調整可能な調整板３７，３８は、調整凹部４３とローラ軸１４１，１６１の周面との間の間隙を調整して、糊液Ｎが調整凹部４３から溢れ出す量を適正量に調整することを可能にする。
【００３０】
（１−５）特許文献２に開示のように、糊液が糊付け槽の前側と後側とのみから溢れ出るようにした場合、側壁２３，２４の高さを高くして絞りローラ１４，１６のローラ軸１４１，１６１を側壁２３，２４に通す必要がある。この場合、ローラ軸１４１，１６１の周面に沿って糊液が洩れ出ないようにする対策が必要であるが、そのためには確実な糊液洩れ防止手段（例えば、グランド式パッキング）を用いる必要があり、構造が複雑になる。
【００３１】
本実施形態では、ローラ軸１４１，１６１の周面に沿って糊付け槽１１から溢れ出る糊液は、樋２８に落ちるので、面倒な糊液洩れ防止対策が不要である。
次に、図５の第２の実施形態を説明する。第１の実施形態と同じ構成部には同じ符合が用いてある。
【００３２】
立壁２９の側壁２９２，２９３の外面にはスポンジ製のシール板４４，４５及び押さえ板４６，４７が交互に重ねられて取り付けられている。スポンジ製のシール板４４，４５及び押さえ板４６，４７は、ボルト４８とナット４９との締め付けによって立壁２９の側壁２９２，２９３に止着されている。絞りローラ１４，１６のローラ軸１４１，１６１は、シール板４４，４５及び押さえ板４６，４７を貫通している。ボルト４８とナット４９との締め付けによってスポンジ製のシール板４４，４５が変形し、シール板４４，４５の孔面４４１，４５１がローラ軸１４１，１６１の周面に押接される。この押接作用は、ローラ軸１４１，１６１の周面と立壁２９の側壁２９２，２９３の孔面２９４との間から洩れようとする糊液の洩れを阻止する。
【００３３】
次に、図６（ａ），（ｂ），（ｃ）の第３の実施形態を説明する。第１の実施形態と同じ構成部には同じ符合が用いてある。
糊付け槽１１の前壁２１と後壁２２とには乗り越え高さ調整板５０，５１が取り付けられている。乗り越え高さ調整板５０は、前壁２１に螺着された一対のネジ５２，５３の締め付けによって前壁２１に固定されている。乗り越え高さ調整板５０には上下に長い位置調整孔５４，５５が形成されており、ネジ５２，５３は、位置調整孔５４，５５を通して前壁２１に螺合されている。乗り越え高さ調整板５１も同じ構成によって後壁２２に締め付け固定されている。乗り越え高さ調整板５０，５１は、ネジ５２，５３の締め付けを緩めた状態で上下方向における取り付け位置を調整可能である。つまり、乗り越え高さ調整板５０，５１の上縁５０１，５１１の高さ位置が調整可能である。
【００３４】
糊付け槽１１の製作誤差や糊付け槽１１の設置状況によっては、糊付け槽１１から溢れ出る糊液の溢れ出し方向が特定方向に集中するおそれがある。糊付け槽１１から溢れ出る糊液の溢れ出し方向が特定方向に集中すると、糊付け槽１１内の糊液Ｎの糊液面に淀みが生じるおそれがある。囲い壁２０の一部となる乗り越え高さ調整板５０，５１の上下方向における取り付け位置を調整することにより、糊付け槽１１から溢れ出る糊液の溢れ出し方向が特定方向に集中するのを回避することができる。
【００３５】
本発明では以下のような実施形態も可能である。
（１）樋２８における立壁２９の上縁２９１の高さ位置を囲い壁２０の上縁２１１，２２１，２３１，２４１の高さ位置よりも低くしてもよい。
【００３６】
（２）乗り越え高さ調整板５０，５１と同様の乗り越え高さ調整板を囲い壁２０の側壁２３，２４に設けてもよい。
（３）下側の絞りローラ１４，１６を糊付け槽１１内の糊液Ｎに浸さないようにした糊付け機に本発明を適用してもよい。
【００３７】
（４）１組の絞り機構（絞りローラ１４，１５の組又は絞りローラ１６，１７の組）のみを備えた糊付け機に本発明を適用してもよい。
（５）糊付け槽１１の側壁２３，２４と樋２８の立壁２９の側壁２９２，２９３との間におけるローラ軸１４１，１６１の周面にフランジを設けてもよい。このフランジは、ローラ軸１４１，１６１の周面を伝う糊液を樋２８の底壁３０上に落とす役割を果たし、ローラ軸１４１，１６１の周面を伝う糊液がベアリング３３，３４側へ移るのを阻止する。
【００３８】
（６）凹部２３２，２４２の形状を円弧以外の形状にしてもよい。
前記した実施形態から把握できる技術的思想について以下に記載する。
〔１〕前記囲い壁に高さ位置調整板を設けた請求項１乃至請求項５のいずれか１項に記載の糊付け機。
【図面の簡単な説明】
【００３９】
【図１】第１の実施形態を示す糊付け機の概略図。
【図２】糊付け槽の平面図。
【図３】図１のＡ−Ａ線断面図。
【図４】調整板を示す側断面図。
【図５】第２の実施形態を示す部分断面図。
【図６】第３の実施形態を示し、（ａ）は、糊付け槽の側断面図。（ｂ）は、部分拡大側断面図。（ｃ）は、乗り越え高さ調整板の正面図。
【符号の説明】
【００４０】
１１…糊付け槽。１３…浸漬ローラ。１４，１５…絞り機構を構成する絞りローラ。１６，１７…絞り機構を構成する絞りローラ。１４１，１６１…下側のローラ軸。２０…囲い壁。２１…前壁。２２…後壁。２３，２４…側壁。２１１，２２１，２３１，２４１…囲い壁の上縁。２３２，２４２…凹部。２８…樋。２９…立壁。２９１…立壁の上縁。３０…樋の底壁。３７，３８…調整板。４３…調整凹部。Ｔ…経糸。Ｎ…糊液。
【図１】
2005220453.tif 000003
【図２】
2005220453.tif 000004
【図３】
2005220453.tif 000005
【図４】
2005220453.tif 000006
【図５】
2005220453.tif 000007
【図６】
2005220453.tif 000008